(57)【要約】【課題】外刃リムの形状や配置、傾斜可動範囲の設計自由度を大きくする、皮膚の凹凸に追従し易くし使用感を向上させる、ヘッド部の小型化を図る、ヘッド部の掃除を容易にする。【解決手段】本体１０に着脱可能であり各外刃１６を別々に囲みかつ保持する外刃リム２４と、外刃１６の中心を通るピボット軸Ｃ上で外刃リム２４を揺動自在に保持するピボット支持部２２と、外刃リム２４の間隙を塞ぐと共に外刃リム２４の本体中心側の下縁に下方から弾接する着脱可能な目隠しカバー６６と、を備える。【選択図】図２
2010005190.tif 000002
【特許請求の範囲】
【請求項１】
複数の外刃を本体上部のヘッド底板に揺動自在に保持し、前記外刃の内面に内刃を弾接させつつ回転駆動する回転式電気かみそりにおいて、
本体に着脱可能であり前記各外刃を別々に囲みかつ保持する外刃リムと、
外刃の中心を通るピボット軸上で前記外刃リムを揺動自在に保持するピボット支持部と、
前記外刃リムの間隙を塞ぐと共に前記外刃リムの本体中心側の下縁に下方から弾接する着脱可能な目隠しカバーと、を備えることを特徴とする回転式電気かみそり。
【請求項２】
複数の外刃は、平面視で本体の中心を囲んで周方向に等間隔に配設され、
前記外刃リムは平面視で本体の中心と外刃の中心とを通る放射方向の直線に対して直交しかつ外刃の中心を通るピボット軸上に保持され、目隠しカバーは本体の中心に保持されている請求項１の回転式電気かみそり。
【請求項３】
目隠しカバーは本体の中心に所定範囲内で上下方向および傾き方向に遊動自在に保持されかつ上向きの復帰習性が付与されている請求項１の回転式電気かみそり。
【請求項４】
目隠しカバーは、ヘッド底板の中央から起立するカバー取付軸にクリック機構によって係止される筒状の支柱を備え、この支柱に装填されたコイルばねがカバー取付軸の上端に当接している請求項３の回転式電気かみそり。
【請求項５】
目隠しカバーは本体の中心から隣接する外刃リムの間隙を通り放射方向に延出している請求項１の回転式電気かみそり。
【発明の詳細な説明】
【技術分野】
【０００１】
本発明は円形の外刃の内下面に弾接する内刃を回転駆動する回転式電気かみそりに関するものである。
【背景技術】
【０００２】
円形の外刃と、その内側で回転する内刃とを備え、外刃に設けたスリットに入る髭を内刃によってカットするいわゆる回転式（ロータリー式）電気かみそりが公知である。この種の電気かみそりでは円形の外刃を外刃枠に僅かに上下動および傾斜可能に保持し、この外刃枠を本体に固定したものが公知である。
【０００３】
しかしこの構造のものでは、外刃枠に対し外刃の可動範囲が僅かであるため、外刃と皮膚との密着性に制約が生じ髭の切れ味や使用感が低下するという問題があった。そこで外刃と本体（外刃枠）との間に、本体に対して可動なリム（外刃リム、皮膚支持リム、皮膚保護リムなどともいう。）を介在させ、外刃の可動範囲および傾斜範囲を大きくすることが提案されている。
【０００４】
【特許文献１】特表平９−５０３４２４
【特許文献２】特開２００５−３５３５１５
【特許文献３】特願２００５−３１０２３５
【特許文献４】特願２００６−１５１６６２
【０００５】
特許文献１には、外刃と本体（外刃枠、ホルダ２）との間に皮膚支持リム（６）を介在させ、外刃をこのリムに僅かに上下動および傾斜可能に保持する一方、このリムの外周を本体の外刃枠にピボット支持するものが示されている。すなわち外刃枠の円形の開口にリムが入り、リムの外周に突設した一対の突起を、外刃枠に設けた開口の内周面に係合させるものである。換言すればリムの外周と外刃枠の開口との間にピボット支持部が配設されているものであった。また隣接するリム同士はヒンジ結合（例えば、さねはぎ結合）されている。このため隣接するリムの結合部分を直線状に形成する必要があった。また傾いたリムの復元力は内刃駆動軸の押上げ力あるいは内刃駆動軸の直立位置への復元力（傾斜復元力）により付与されるものであった。
【０００６】
特許文献２には、本体上面（ヘッド底板）に、外刃を保持する外刃リム（刃枠、１８）を囲む起立壁（支持部、５４）を設け、ここに外刃リムをそれぞれ独立に揺動自在に保持するものが示されている。すなわち各外刃リムの間には本体上面（ヘッド底板）が露出しているものである。
【０００７】
特許文献３には、外刃と内刃を組み立てた刃ユニット（１６）を、本体に開閉または着脱可能な１つの外刃枠（１８）に形成した外刃装着孔（２０）に揺動自在に保持したものが示されている。
【０００８】
特許文献４には、本体に固定する外刃枠（２０）に、各刃ユニット（１８）を装着する外刃装着孔（２２）を設け、隣接する外刃装着孔（２２）の間に外周から本体の中心方向に進入するスリット（５０）を形成し、スリット（５０）で仕切られた各外刃（１４）を囲む部分が傾斜可能（あるいは折曲可能）としたものが示されている。
【発明の開示】
【発明が解決しようとする課題】
【０００９】
特許文献１のものは隣接する外刃リム（皮膚支持リム）がヒンジ結合されるため結合部分が直線になり、外刃リムの形状や配置に制約が生じる。
また１つの外刃リムを皮膚に当てて押込んで（押下げて）傾けると、全ての外刃リムが連動して押込まれて傾くことになり各外刃リムの押込み力（押下げ開始圧力あるいは傾斜開始圧力）が大きくなる。この押込み力あるいは傾斜開始圧力は内刃駆動軸による押上げ力あるいは傾斜復元力により設定されるが、内刃の外刃に対する接触圧は髭の切断性能や使用感から過小に設定することはできない。このため外刃リムの押込み力を十分小さくすることが困難である。
【００１０】
またこの特許文献１のものでは、外刃およびリムは内刃駆動軸の直立位置への復元力により静止位置に復帰するから、内刃駆動軸が通常垂直であることを考えると外刃は通常水平位置に復帰することになる。このため外刃の静止位置での傾きを任意に設定することができないという問題もある。さらに外刃リムの傾斜可動範囲も制約を受けるという問題もある。
【００１１】
特許文献２のものは、隣接する外刃リムの間に本体上面の起立壁が露出することになるため、ヘッド部が大型化するだけでなく、髭剃りくずが本体上面に付着し易く掃除しにくいという問題がある。
【００１２】
特許文献３のものは、複数の刃ユニットを囲む外刃枠が大きくなり、ヘッド部が大型化するという問題がある。特許文献４のものは刃ユニットは外刃枠のスリットで仕切られた部分と共に傾斜（折曲）するから、外刃の動きに制約が生じると共に掃除もしにくいという問題がある。
【００１３】
この発明はこのような事情に鑑みなされたものであり、外刃リムの形状や配置についての設計自由度を大きくすることができ、外刃の押下げ力あるいは傾斜開始圧力を小さくすることにより外刃が皮膚の凹凸に追従し易くして使用感を向上させることができ、外刃の静止位置での傾きを使用者の好みなどに応じて任意に設定でき、外刃リムの傾斜可動範囲を拡大でき、ヘッド部の小型化が図れ、ヘッド部の掃除が容易であり、髭剃り面の意匠的な設計自由度も増やすことができる回転式電気かみそりを提供することを目的とする。
【課題を解決するための手段】
【００１４】
この発明によればこの目的は、複数の外刃を本体上部のヘッド底板に揺動自在に保持し、前記外刃の内面に内刃を弾接させつつ回転駆動する回転式電気かみそりにおいて、本体に着脱可能であり前記各外刃を別々に囲みかつ保持する外刃リムと、外刃の中心を通るピボット軸上で前記外刃リムを揺動自在に保持するピボット支持部と、前記外刃リムの間隙を塞ぐと共に前記外刃リムの本体中心側の下縁に下方から弾接する着脱可能な目隠しカバーと、を備えることを特徴とする回転式電気かみそり、により達成される。
【発明の効果】
【００１５】
各外刃リムは互いに結合せず、互いに独立に揺動するので、外刃リムの形状、配置に対して制約が少なくなる。このため外刃リムの形状、配置を比較的自由に決めることができ、例えば意匠上の要請に合わせて外刃リムなどの形状、配置を決めることができる。
【００１６】
また１つの外刃リムを押し下げたり傾ける時には、この外刃リムに対応する１つの内刃駆動軸の押上げ力および傾斜復元力と、目隠しカバーの上向きの復元力との合力より大きい押下げ力が加わればよく、目隠しカバーの復元力は十分に小さく設定できるので、外刃リムの押下げ開始圧力あるいは傾斜開始圧力を十分に小さくし、外刃の皮膚への追従性を向上させ使用感を向上させることができる。なおこの時目隠しカバーはすでに下降を開始しているから他の外刃リムにはこの外刃に摺接する１つの内刃の押上げ力が加わることになり、軽い押下げ力で下降し傾斜する。このためヘッド部を皮膚上で滑らせる時には隣接する外刃リムは軽く押下げられることになり、滑らかな移動が可能で使用感が向上する。
【００１７】
ここに外刃リムには目隠しリムが上向きに係合しているので、外刃リムは内刃駆動軸の直立位置への復元力と目隠しリムの押上げ力とで静止位置に復帰することになる。このため目隠しリムの押上げ力を適切に設定することにより外刃の傾きを任意に設定することが可能になる。例えば、外刃上面を静止時に外側へ傾くようにすることも可能である。また外刃リムの傾斜可動範囲を拡大することもできる。
【００１８】
さらに本体の上面（ヘッド底板）には外刃リムを囲む壁（起立壁）を設ける必要がないので、ヘッド部の小型化が図れる。さらにまたこの起立壁が不用で外刃リムの間は目隠しカバーで覆われているのでこれらの下に髭剃りくずが入りにくくなるばかりでなく、外刃リムや目隠しカバーは着脱可能なので髭剃りくずの掃除もし易くなる。
【発明を実施するための最良の形態】
【００１９】
外刃は平面視で本体の中心を囲んで周方向に等間隔に配設し、外刃リムは平面視で本体中心と外刃中心を通る放射方向の直線に対して直交しかつ外刃中心を通る直線（ピボット軸）上に保持する一方、目隠しカバーは本体中心に保持するのが望ましい（請求項２）。この場合には複数の外刃に対する押上げ力が等しくなり各外刃の使用条件が同一になるから、使用感が良い。
【００２０】
目隠しカバーは、本体中心に所定範囲内で上下動すると共に傾き方向に遊動自在にする一方、ばねなどで上向きの復帰習性を付与するのがよい（請求項３）。この場合には、例えば１つの外刃リムに押下げ力が加われば目隠しカバーは傾きながら下降することになり、目隠しカバーの外刃リムへの追従性が向上する。
【００２１】
目隠しカバーは、ヘッド底板の中央から起立するカバー取付軸にクリック機構（スナップ機構）により係止する筒状の支柱を備え、この支柱にコイルばねを装填してこのコイルばねをカバー取付軸の上端に当接させることにより、目隠しカバーに上向きの復帰力を付与するのがよい（請求項４）。このコイルばねは十分弱いものとしておくことにより、外刃リムの押下げ力（下降開始する圧力）や傾斜開始圧力を十分に小さくし、使用感を一層向上させることができる。
【００２２】
目隠しカバーは本体中心から隣接する外刃リムの間隙を通り放射方向に延出させる形状とするのがよい（請求項５）。この場合には目隠しカバーは必要最小限の寸法として軽量化し、外刃リムの上下動に対する追従性を一層向上させることができる。
【実施例１】
【００２３】
図１は本発明の一実施例の外観図、図２は同じくヘッド部の分解図であって１個の刃組立体を取外した図（Ａ）と全ての刃組立体を取外した図（Ｂ）である。図３は１つの刃組立体を分解して斜め上方向から示す分解斜視図、図４は同じく斜め下方向から示す分解斜視図である。図５は刃組立体の底面図であって、（Ａ）は内刃および刃押え板を組付けた状態を、（Ｂ）は内刃および刃押え板を除いた状態を示す。図６はヘッド部の側面図であって、（Ａ）は静止時（通常待機時）を（Ｂ）は本体の中央付近を押下げた内側傾斜時（使用時）を示す。図７は刃組立体の側断面図であって、（Ａ）はピボット軸を含む断面を、（Ｂ）はこれに直交する断面を示す。図８は同じく内刃を除去して示す刃組立体の側断面図であって、（Ａ）はピボット軸を含む断面と、（Ｂ）はこれに直交する断面を示す。図９は目隠しカバー取付部の側断面図（Ａ）とそのＢ−Ｂ線断面図（Ｂ）である。
【００２４】
図において符号１０は回転式電気かみそりであって、本体１２と、その上面に取付けたヘッド部１４とを一体化したものである。本体１２には電気モータ、電池、制御回路など（共に図示せず）が収納されている。ヘッド部１４は正三角形の頂点位置に３つの外刃１６を配置したものであり、本体１０の上面となるヘッド底板１８に３つの刃組立体２０を本体１２の中心Ａに対して等間隔（１２０°間隔）にかつ着脱可能に保持している。
【００２５】
各刃組立体２０は、本体１２の中心Ａ（図２，５）を通る放射方向の直線Ｂに対して直交し、かつ外刃１６の中心を通る直線（ピボット軸）Ｃを中心として揺動可能である。すなわち３個の刃組立体２０はそれぞれピボット支持部２２（図７（Ａ）参照）によって独立に支持され、それぞれのピボット軸Ｃを中心に揺動する。
【００２６】
刃組立体２０は略逆カップ状の外刃１６と、この外刃１６を保持する外刃リム（刃枠、皮膚保護リム）２４と、外刃リム２４に下方から着脱可能に固定される刃押え板２６と、外刃１６と刃押え板２６との間に収容される内刃２８およびこれと一体化される内刃軸３０とを備える。外刃リム２４には外刃１６が下から通る円形の開口３２が形成されると共に、その内側の下面（内下面）には図４，５に示すように、この開口３２より僅かに大径のかつ周方向にほぼ４分割された円弧状のガイド壁３４（図４，５参照）が突設されている。外刃１６の開口縁に設けたフランジ１６ａは開口３２の縁３２ａ（図４，５）に下方から係合し、上方への脱出が規制される。外刃１６は、フランジ１６ａをガイドするガイド壁３４の高さの範囲（図７（Ａ）に示すａの範囲）内で上下動可能である。
【００２７】
次に刃組立体２０を説明する。外刃リム２４の下面には、ピボット軸Ｃを挟んで対向するガイド壁３４の対向部分をピボット軸Ｃ方向に広げた位置に一対の起立壁３６，３６が形成されている。これら起立壁３６にはピボット軸Ｃ上に位置する小孔３８がそれぞれ形成されている（図５，８）。これら小孔３８には支点軸４０の突起４０ａが内径側から貫通している。これら突起４０ａは半球状の先端を持ち、この先端部分だけが起立壁３６の小孔３８から外径側に突出する。支点軸４０の内径側基部４０ｂは小孔３８より大径であり、ここが起立壁３８に当接して突起４０ａの外径方向への突出量が規定される。左右一対の支点軸４０，４０の内径側基部４０ｂには略円弧状の線ばね４２の両端が固定され、外径方向への復帰習性が付与されている。
【００２８】
外刃リム２４には、ピボット軸Ｃの−側にあるガイド壁３４ａ、３４ａの外側を囲む半円弧状の下降壁４４が形成されている。この下降壁４４の両端は起立壁３６，３６の外側を覆うようにのびている。前記線ばね４２は、その中央部を下降壁４４の内径面に設けた突起状の第１ストッパ４６（図７（Ｂ）、図８（Ｂ）参照）に係合させて下降壁４４の内径面に保持され、この状態で両端を前記突起部材４０の基部４０ｂに嵌合固定される。この線ばね４２は支点軸４０、４０の突起４０ａ、４０ａを外側へ押す復帰力を付与する。
【００２９】
刃押え板２６は、外刃リム２４の下方から外刃１６の中に内刃２８，内刃軸３０を装填した後、外刃リム２４に装着される。この刃押え板２６は中央に内刃軸３０の下部が通る開口２６ａや、その周囲にあって髭剃りくずを落下させる開口２６ｂなどが形成されている。刃押え板２６の外周には、外刃リム２４の下降壁４４に形成した突起状の第２ストッパ４８（図５，７，８）に係合する爪５０と、この爪５０の反対側に位置する着脱用のフック５２とが形成されている。
【００３０】
刃押え板２６は、まず爪５０を第２ストッパ４８に係合し、かつその外周付近の上面を外刃リム２４のガイド壁３４の端面に下から当接させた状態でフック５２の上端をガイド壁３４に設けた係合孔５４に係合させて固定される。なおフック５２には操作端５６が一体に形成され、この操作端５６を内径側へ押し込むことによりフック５２の上端を係合孔５４から脱出させ、刃押え板２６を外刃リム２４から取外すことができる（図７（Ｂ）、図８（Ｂ）参照）。
【００３１】
このように形成された刃組立体２０は、前記ピボット支持部２２により本体１０のヘッド底板１８に着脱可能に取付けられる。すなわちヘッド底板１８には３本の内刃駆動軸５８が突出し、これら内刃駆動軸５６を挟んで３個の刃組立体２０のピボット軸Ｃ上に一対ずつの支柱６０が突設されている（図２（Ｂ）参照）。各支柱６０には、前記刃組立体２０の支点軸４０が係脱する係合凹部６２が形成されている。この係合凹部６２は貫通孔でもよく、要するに支点軸４０の先端の突起４０ａが係脱可能な形状であればよい。
【００３２】
なお本体１０のヘッド底板１８の中央には目隠しカバー取付軸６４が起立し、ここに三又状の目隠しカバー６６が着脱可能である（図２，９）。すなわちこの目隠しカバー６６の下面中央には目隠しカバー取付軸６４にスナップ結合される筒状の支柱６８が突出し、これをカバー取付軸６４の外周に嵌合し押し込むことによりスナップ動作（クリック動作）を伴って固定される。この支柱６８内にはコイルばね６４ｃが装填され、カバー６６をカバー取付軸６４に固定した時にカバー６６に上向きの復帰習性が付与される。カバー６６の外周方向の延出端は、ヘッド底板１８の隣接する支柱６０，６０の間に係止される。
【００３３】
ここで目隠しカバー６６の取付部を詳細に説明する。目隠しカバー取付軸６４は図９（Ａ）に示すように、上端部６４ａの下方が小径部６４ｂとなっている。筒状の支柱６８の内径は取付軸６４の上端部６４ａが遊動可能となるように設定される。支柱６８の下部外周には、支柱６８の中心軸を挟んで周方向に長い一対のスリット６８ａ、６８ａが形成され、これらスリット６８ａ、６８ａには略Ｕ字状の線ばねからなるクリップ６８ｂが装着されている。
【００３４】
この支柱６８は、この支柱６８の内底部と取付軸６４の上端部６４ａとの間にコイルばね６４ｃを装填して取付軸６４に結合される。すなわち支柱６８の下端を取付軸６４の上端部６４ａに位置合わせして押下げれば、クリップ６８ｂが取付軸６４の上端部６４ａによって一度押し開かれ、クリップ６８ｂが小径部６４ｂに係合する。この結果目隠しカバー６６は、小径部６４ｂの上下寸法の範囲内で遊動可能（上下動可能および傾斜可能）であると共に、コイルばね６４ｃにより上向きの復帰習性が付与される。またクリップ６８ｂが小径部６４ｂ側から上端部６４ａの下縁に当接して目隠しカバー６６の上方への可動範囲が規制される。図９（Ａ）はこの状態を示す。
【００３５】
刃組立体２０はこのカバー６６をヘッド底板１８に取付けた後で、支柱６０にクリック動作を伴って着脱される。すなわち刃組立体２０の外刃リム２４の下降壁４４をヘッド底板１８の外周に沿わせつつ内刃軸３０の下端を内刃駆動軸５６に位置合わせする。内刃駆動軸５６の多角形（四角形）の係合頭部には、この内刃駆動軸５６に内装したコイルばね（図示せず）により上向きの復帰習性が付与される一方、内刃軸３０の下端にはこの係合頭部が係入する係合凹部が形成されている。このため刃組立体２０を下向きに押込むと、内刃駆動軸５４の復元力により内刃２８が外刃１６に上向きに弾接される。
【００３６】
そして刃組立体２０をこの復元力に抗してさらに下へ押込めば、外刃リム２４に組付けた支点軸４０の先端突起４０ａがヘッド底板１８の支柱６０の上縁に当たって線ばね４２に抗して押込まれ、スナップ動作（クリック動作）を伴って支柱６０の係合凹部６２に係合する。この状態では刃組立体２０は支点軸４０を支点にして、すなわちピボット軸Ｃを中心にして揺動する。
【００３７】
なお内刃２８を介して外刃１６、外刃リム２４には、内刃駆動軸５６に内装したコイルばねの復元力が上向きに加わる。なおこの内刃駆動軸５６の上向きの復元力は外刃リム２４のピボット軸Ｃ上に作用するので（図５，７）、外刃リム２４の傾きを復元させる作用はほとんどないと考えられる。一方目隠しカバー６６は支柱６８内のコイルばね６４ｃにより上向きに付勢され、この目隠しカバー６６に外刃リム２４の本体中心Ａ側の下面が当接している（図９（Ａ））。このため刃組立体２０は図６（Ａ）に示す状態で静止し安定する。この時外刃リム２４の下降壁４４外周面に設けた段部４４ａ（図６，図７（Ａ）、図８（Ａ）参照）が、ヘッド底面１８の外周上縁１８ａに当接し、刃組立体２０の位置決めがされる。
【００３８】
３つの刃組立体２０を組付けた状態で、ヘッド部１４の中央付近を髭剃り部となる皮膚に押し当てれば、刃組立体２０は本体１０の中心側が下降する。すなわちピボット軸Ｃを中心に本体１０の中心側が沈み込む（図６（Ｂ）の状態）。外刃リム２４の上面はピボット軸Ｃ方向に長く（幅が広く）、これに直交する方向に短い（幅が狭い）。ピボット軸Ｃに直交する方向には外刃リム２４が揺動、上下動するので、外刃リム２４上面および外刃１６に当たる皮膚の接触圧は外刃リム２４の揺動および外刃１６の下降により過大になることはない。このため皮膚の保護作用が大きい。
【００３９】
一方ピボット軸Ｃに直交する方向には外刃リム２４は揺動しないから、皮膚の接触圧は外刃リム２４に対する外刃１６の上下動のみにより吸収されることになり、接触圧の吸収が不十分になるおそれが生じる。しかし外刃リム２４の上面はピボット支持部２２の上方まで拡大しているから、換言すればピボット軸Ｃ方向に拡大しているから、この方向Ｃでの皮膚との接触面積が拡大する。このため皮膚と外刃との接触圧（単位面積当たりの接触圧力）が小さくなり、皮膚の保護作用が大きくなる。
【００４０】
外刃リム２４を支持するピボット支持部２２は外刃リム２４と外刃枠となるヘッド底板１８との間ではなく、外刃リム２４の下方に入り込んでいるから、ヘッド底板１８の小型化が図れることになり、ピボット支持部２２に髭剃りくずが付着しにくい。また各刃組立体２０は本体１０に対して着脱可能であるから、ヘッド部１４の掃除がし易い。
【００４１】
３つの刃組立体２０の外刃リム２４は、本体中心側が目隠しカバー６６によって押し上げられて図６（Ａ）の状態となっている。１つの外刃リム２４のみを押下げればこれと共に目隠しカバー６６も下降する。このためヘッド部１４を移動させて他の外刃リム２４を押し下げる時には、すでに目隠しカバー６６は下降しているのでこれら他の外刃リム２４は極めて小さい押下げ力で傾くことになる。この結果ヘッド部１４の円滑な移動が可能になり使用感が向上する。
【００４２】
また目隠しカバー６６が外刃リム２４を押し上げているので、静止時（通常時）における外刃１６の上面の角度は、内刃駆動軸の直立位置への復元力だけに制約されず、図６（Ａ）に示すように外側へ傾くように設定することが可能である。このため外刃カバーの可動傾斜範囲を大きくすることができる。
【図面の簡単な説明】
【００４３】
【図１】本発明の一実施例の外観図
【図２】ヘッド部の分解図
【図３】１つの刃組立体を分解して斜め上方向から示す分解斜視図
【図４】同じく斜め下方向から示す分解斜視図
【図５】刃組立体の底面図
【図６】ヘッド部の側面図
【図７】刃組立体の側断面図
【図８】同じく内刃を除去して示す刃組立体の側断面図
【図９】目隠しカバーの取付部を示す側断面図（Ａ）と平断面図（Ｂ）
【符号の説明】
【００４４】
１０  回転式電気かみそり
１２  本体
１４  ヘッド部
１６  外刃
１８  ヘッド底板（外刃枠本体上面）
２０  刃組立体
２２  ピボット支持部
２４  外刃リム
２６  刃押え板
２８  内刃
３４  ガイド壁
３６  起立壁
３８  小孔
４０  支点軸
４２  線ばね
４４  下降壁
６０  支柱
６２  係合凹部
６４  目隠しカバー取付軸
６４ｃ  コイルばね
６６  目隠しカバー
６８  筒状の支柱
６８ｂ  クリップ
Ａ  本体の中心
Ｃ  ピボット軸
【図１】
2010005190.tif 000003
【図２】
2010005190.tif 000004
【図３】
2010005190.tif 000005
【図４】
2010005190.tif 000006
【図５】
2010005190.tif 000007
【図６】
2010005190.tif 000008
【図７】
2010005190.tif 000009
【図８】
2010005190.tif 000010
【図９】
2010005190.tif 000011